【手続補正書】
【提出日】平成19年1月17日(2007.1.17)
【手続補正１】
【補正対象書類名】特許請求の範囲
【補正対象項目名】全文
【補正方法】変更
【補正の内容】
【特許請求の範囲】
【請求項１】
混合留出燃料であって：
（ａ）２から８０重量％の量のオレフィン、２０から９８重量％の量のノンオレフィンを含み、フィッシャー・トロプシュ合成物から導出される留出燃料留分であって、ノンオレフィンが５０重量％超のパラフィン及び１重量％未満の量の酸素化物を含む留出燃料留分；及び
（ｂ）水素処理フィッシャー・トロプシュ導出留出燃料、水素化分解フィッシャー・トロプシュ導出留出燃料、水素処理石油導出留出燃料、水素化分解石油導出留出燃料、及びそれらの混合物からなる群から選ばれた留出燃料留分；
を含み、
その際、混合留出燃料が、１０重量ｐｐｍ未満の量の硫黄を含み、１．５未満の総酸価をもち、６０℃で４週間の貯蔵後に５ｐｐｍ未満の過酸化物を生成する混合留出燃料。
【請求項２】
混合留出燃料が５重量ｐｐｍ未満の量の硫黄を含み、好ましくは混合留出燃料が１重量ｐｐｍ未満の量の硫黄を含む請求項１に記載の混合留出燃料。
【請求項３】
（ａ）の留出燃料留分が少なくとも１０重量％のオレフィンを含み、好ましくは、（ａ）の留出燃料留分のノンオレフィンが７５重量％超のパラフィンを含む請求項１に記載の混合留出燃料。
【請求項４】
（ａ）の留出燃料留分のオレフィンが５０重量％超のリニア第一オレフィンを含み、好ましくは、（ａ）の留出燃料留分のオレフィンが６５重量％超のリニア第一オレフィンを含む請求項１に記載の混合留出燃料。
【請求項５】
（ａ）の留出燃料留分のパラフィンのｉ／ｎ比が１未満である請求項１に記載の混合留出燃料。
【請求項６】
混合留出燃料が、５重量％未満の芳香族化合物及び５重量ｐｐｍ未満の量の窒素を更に含む請求項１〜５に記載の混合留出燃料。
【請求項７】
混合留出燃料が０．５未満の総酸価を含む請求項１〜６に記載の混合留出燃料。
【請求項８】
混合留出燃料がＡＳＴＭ  Ｄ−９７５−９８に定義されたジーゼル燃料の規格を満たす請求項１〜７に記載の混合留出燃料。
【請求項９】
混合留出燃料が、６０℃で４週間の貯蔵後に、４ｐｐｍ未満の過酸化物を生成し、好ましくは、混合留出燃料が、６０℃で４週間の貯蔵後に、１ｐｐｍ未満の過酸化物を生成する請求項１〜８に記載の混合留出燃料。
【請求項１０】
（ａ）フィッシャー・トロプシュ留出燃料留分であって、
（ｉ）２から８０重量％の量のオレフィン；
（ｉｉ）２０から９８重量％の量のノンオレフィンであり、その際、ノンオレフィンが７５重量％超のパラフィンを含み、かつパラフィンのｉ／ｎ比が１未満であるノンオレフィン；及び
（ｉｉｉ）１重量％未満の量の酸素化物；
を含むフィッシャー・トロプシュ留出燃料留分、及び
（ｂ）水素処理フィッシャー・トロプシュ導出留出燃料、水素化分解フィッシャー・トロプシュ導出留出燃料、水素処理石油導出留出燃料、水素化分解石油導出留出燃料、及びそれらの混合物からなる群から選ばれた留出燃料留分；
を含み、
その際、混合留出燃料が、（ｉ）１重量ｐｐｍ未満の量の硫黄、（ｉｉ）５重量ｐｐｍ未満の量の窒素、（ｉｉｉ）５重量％未満の量の芳香族化合物、及び（ｉｖ）１．５未満の総酸価を含み、混合留出燃料が６０℃で４週間の貯蔵後に５ｐｐｍ未満の過酸化物を生成し、好ましくは、混合留出燃料が６０℃で４週間の貯蔵後に４ｐｐｍ未満の過酸化物を生成する混合留出燃料。
【請求項１１】
混合留出燃料がＡＳＴＭ  Ｄ−９７５−９８に定義されたジーゼル燃料の規格を満たす請求項１０に記載の混合留出燃料。
【請求項１２】
（ａ）のフィッシャー・トロプシュ留出燃料留分が、少なくとも１０重量％のオレフィンを含む請求項１０に記載の混合留出燃料。
【請求項１３】
フィッシャー・トロプシュ留出燃料混合成分であって：
（ａ）２から８０重量％の量のオレフィン；
（ｂ）２０から９８重量％の量のノンオレフィンであり、その際、ノンオレフィンが７５重量％超のパラフィンを含み、かつパラフィンのｉ／ｎ比が１未満である、ノンオレフィン；
（ｃ）１重量％未満の量の酸素化物；
（ｄ）１重量ｐｐｍ未満の量の硫黄；
（ｅ）２重量％未満の量の芳香族化合物；
（ｆ）１．５未満の総酸価；及び
（ｇ）Ｃ5から８００°Ｆの沸点範囲；
を含む留出燃料混合成分。
【請求項１４】
留出混合成分が少なくとも１０重量％のオレフィンを含む請求項１３に記載のフィッシャー・トロプシュ留出混合成分。
【請求項１５】
留出燃料混合成分の製造方法であって：
（ａ）炭化水素資源の少なくとも一部を合成ガスに転化すること；
（ｂ）フィッシャー・トロプシュ法装置で合成ガスの少なくとも一部を炭化水素流に転化すること；
（ｃ）炭化水素流から留出燃料留分を分離することであり、その際、留出燃料留分が２から８０重量％のオレフィン及び２０から９８重量％のノンオレフィンを含み、ノンオレフィンが５０重量％超のパラフィンを含むこと；
（ｄ）高められた温度で留出燃料留分を金属酸化物と接触させることにより留出燃料留分を精製すること；及び
（ｅ）１重量％未満の量の酸素化物を含み、かつ１．５未満の総酸価をもつ留出燃料混合成分を分離すること；
を含む方法。
【請求項１６】
金属酸化物が、アルミナ、シリカ、シリカ−アルミナ、ゼオライト、クレイ、及びそれらの混合物からなる群から選ばれる請求項１５に記載の方法。
【請求項１７】
留出燃料混合成分が０．５未満の総酸価をもつ請求項１５に記載の方法。
【請求項１８】
留出燃料留分を、金属酸化物を含む精製装置に、４５０から８００°Ｆ、１，０００ｐｓｉｇ未満の圧力、０．２５から１０ＬＨＳＶで、気体成分を添加することなく通過させることにより、精製が行われる請求項１５に記載の方法。
【請求項１９】
精製ステップが７５％超の酸素化物転化の条件を含み、好ましくは、精製ステップが９０％超の酸素化物転化の条件を含む請求項１５に記載の方法。
【請求項２０】
混合留出燃料の製造方法であって：
（ａ）炭化水素資源の少なくとも一部を合成ガスに転化すること；
（ｂ）フィッシャー・トロプシュ法反応装置で、合成ガスの少なくとも一部を炭化水素流に転化すること；
（ｃ）炭化水素流からオレフィン性留出燃料留分を分離することであり、その際、オレフィン性留出燃料留分が２から８０重量％のオレフィン及び２０から９８重量％のノンオレフィンを含み、ノンオレフィンが５０重量％超のパラフィンを含むこと；
（ｄ）高められた温度でオレフィン性留出燃料留分を金属酸化物と接触させることによりオレフィン性留出燃料留分を精製して１重量％未満の量で酸素化物を含む精製オレフィン性留出燃料を提供すること；及び
（ｅ）精製オレフィン性留出燃料留分を、水素化分解フィッシャー・トロプシュ導出留出燃料、水素処理フィッシャー・トロプシュ導出留出燃料、水素化分解石油導出留出燃料、水素処理石油導出留出燃料、及びそれらの混合物からなる群から選ばれた留出燃料と混合すること；
を含み、
その際混合留出燃料が、１０重量ｐｐｍ未満の量の硫黄を含み、１．５未満の総酸価をもち、かつ６０℃で４週間の貯蔵後に５ｐｐｍ未満の過酸化物を生成する方法。
【請求項２１】
精製が、アルミナ、シリカ、シリカ−アルミナ、ゼオライト、クレイ、及びそれらの混合物からなる群から選ばれた金属酸化物を用いて行われる請求項２０に記載の方法。
【請求項２２】
混合留出燃料が、ＡＳＴＭ  Ｄ−９７５−９８に定義されたジーゼル燃料の規格を満たす請求項２０に記載の方法。
【請求項２３】
混合留出燃料が６０℃で４週間の貯蔵後に４ｐｐｍ未満の過酸化物を生成し、好ましくは、混合留出燃料が６０℃で４週間の貯蔵後に１ｐｐｍ未満の過酸化物を生成する請求項２０に記載の方法。
【請求項２４】
留出燃料留分を、金属酸化物を含む精製装置に、４５０から８００°Ｆ、１，０００ｐｓｉｇ未満の圧力、０．２５から１０ＬＨＳＶで、気体成分を添加することなく通過させることにより、精製が行われる請求項２０に記載の方法。
【請求項２５】
精製が７５％超の酸素化物転化の条件を含み、好ましくは、精製が９０％超の酸素化物転化の条件を含む請求項２０に記載の方法。
【請求項２６】
混合留出燃料の製造方法であって：
（ａ）１重量％未満の量の酸素化物、２から８０重量％のオレフィン、及び２０から９８重量％のノンオレフィンを含み、その際、ノンオレフィンが５０重量％超のパラフィンを含む、オレフィン性留出燃料留分を提供すること；及び
（ｂ）オレフィン性留出燃料留分を、水素化分解フィッシャー・トロプシュ導出留出燃料、水素処理フィッシャー・トロプシュ導出留出燃料、水素化分解石油導出留出燃料、水素処理石油導出留出燃料、及びそれらの混合物からなる群から選ばれた留出燃料留分と混合すること；
を含み、
その際、混合留出燃料が、１０重量ｐｐｍ未満の量の硫黄を含み、１．５未満の総酸価をもち、かつ６０℃で４週間の貯蔵後に５ｐｐｍ未満の過酸化物を生成する方法。
【請求項２７】
混合留出燃料が１重量ｐｐｍ未満の量の硫黄を含む請求項２０又は２６に記載の方法。
【請求項２８】
混合留出燃料が０．５未満の総酸価を含む請求項２０又は２６に記載の方法。
【請求項２９】
混合留出燃料が６０℃で４週間の貯蔵後に１ｐｐｍ未満の過酸化物を生成する請求項２０又は２６に記載の方法。